(57)【要約】【課題】非力なゴルファーの飛距離を伸ばし、打ち込んでボールを上げなければならないという心理的な不安を解消する。【解決手段】クラブ長さが３７インチ以下で、フェースプログレッション＞（ホゼル半径）＋（フェースセンター高さ）・ｔａｎ（ロフト角度）の関係を有するように構成した。【選択図】図２
2009142467.tif 000002
【特許請求の範囲】
【請求項１】
クラブ長さが３７インチ以下で、
フェースプログレッション＞（ホゼル半径）＋（フェースセンター高さ）・ｔａｎ（ロフト角度）
の関係を有するように構成したことを特徴とするゴルフクラブ。
【請求項２】
ロフト角度が３８度超で、
フェースプログレッション＞（ホゼル半径）＋（フェースセンター高さ）・ｔａｎ（ロフト角度）
の関係を有するように構成したことを特徴とするゴルフクラブ。
【請求項３】
クラブ長さが３７インチ以下であることを特徴とする請求項２に記載のゴルフクラブ。
【発明の詳細な説明】
【技術分野】
【０００１】
本発明は、ゴルフクラブ、特に、非力なアベレージゴルファーのためにフェースプログレッションを工夫したゴルフクラブに関する。
【背景技術】
【０００２】
ゴルフクラブの中で、ウッドクラブは、クラブ長さが長く、ロフト角度が小さく、飛びの機能を優先する。アイアンクラブはクラブ長さが短く、ロフト角度が大きく、正確さの機能を優先する。そして、それぞれのクラブがそれぞれの機能を発揮するために多くの支援機能がある。例えば、クラブ長さが短く、スイングアークが小さいアイアンクラブは、ボールに対して鋭角的にヘッドが進入し、インパクトの後に芝生内に打ち込まれるため、打ち込めるイメージとなるように、狭いソール幅と、グースネック、すなわち、少ないフェースプログレッションとなる形状をしている。一方、クラブ長さが長く、スイングアークが大きいウッドクラブは、芝生上を滑るようにしてヘッドが進入してボールに衝突しやすいように、滑らかで幅の広いソール面と大きなフェースプログレッションとなる形状をしている。
【０００３】
フェースプログレッションの考え方は、打撃面が、シャフト軸に対して、どのくらい前にあるかの指標で、シャフト軸に対してフェース面が“前にあるか”、“後にあるか”は、ゴルファーにとって大きな心理的影響となっている。一般に、打撃面が、シャフト軸に対して後にあるのがアイアンクラブであり、シャフト軸に対して前にあるのがウッドクラブであり、フェース面が後にあるロングアイアンで長い距離を攻める場合には、ダウンブローの高度な技術とパワーが求められ、難しいショットと言われている。過去には、難しいロングアイアンを使いこなすために必要なダウンブローの高度な技術とパワーを必要としないように、打撃面がシャフト軸に対して前にある５番ウッド、バフィーが発明された経緯がある。
【０００４】
一般に、非力なゴルファーには、打撃面が、シャフト軸に対して前にあるウッドタイプが好まれ、多くのアベレージや女性ゴルファーが使用している。近年では、この領域に、ウッドとアイアンの混成されたユーティリティクラブが開発され、主に、ロングアイアンの飛びの領域に活躍しているが、一般に、打撃面がシャフト軸に対して前にあるタイプがもてはやされている。
【０００５】
従来のこの種のユーティリティクラブとしては、ヘッドのヘッド幅を４０ｍｍ以上６０ｍｍ以下の範囲に、フェースプログレッションを７ｍｍ以上２０ｍｍ以下の範囲にそれぞれ設定したものが開発された（特許文献１参照）。これは、ヘッドのフェースプログレッションとヘッド幅との関係に着目し、これらの物理量を従来のウッド系及びアイアン系のクラブでは存在しない組合せの範囲に設定し、ウッド系とアイアン系との間の不連続性を解消しようとするものである。
【特許文献１】特開平１１−１７８９５８号公報（３頁、図１）
【発明の開示】
【発明が解決しようとする課題】
【０００６】
特許文献１に開示された従来のゴルフクラブは、ロングアイアンの代りに使用されるものであるが、非力なゴルファーにとってミドルアイアン以下の飛距離に匹敵する飛距離を易しく打てるゴルフクラブが求められている。
【０００７】
本来、打撃面が、シャフト軸に対して後にあるアイアンクラブは、ダウンブローの技術とパワーを必要とし、ボールを潰してスピンをかけるように作られ、現在市販のアイアンセットの殆どは、理想的な技術とパワーを体得したプロや上級者や競技志向のゴルファー向きに作られたもので、非力なアベレージゴルファーや女性が使えるように考えられていない。アベレージゴルファーの殆どが打てるといわれる７番アイアンに代表されるように、アベレージゴルファーが使えるアイアンは、せいぜい、ミドルアイアンからショートアイアンであり、さらに非力なシニアや女性では、７番アイアンでも使いこなすのが難しいクラブである。
【０００８】
そこで、本発明は、理想的な技術とパワーを体得したプロや上級者や競技志向のゴルファー向きに作られた現在市販のアイアンセットに替るゴルフクラブを非力なシニアや女性ゴルファーのために提供することを目的としている。
【課題を解決するための手段】
【０００９】
上述の目的を達成するため、本発明は、クラブの長さが３７インチ以下で、フェースプログレッション＞（ホゼル半径）＋（フェースセンター高さ）・ｔａｎ（ロフト角度）、の関係を有するように構成した。
【００１０】
また、ロフト角度が３８度超で、フェースプログレッション＞（ホゼル半径）＋（フェースセンター高さ）・ｔａｎ（ロフト角度）、の関係を有するように構成したものである。
【発明の効果】
【００１１】
本発明のゴルフクラブによれば、クラブ長さが３７インチ以下で、フェースプログレッション＞（ホゼル半径）＋（フェースセンター高さ）・ｔａｎ（ロフト角度）、の関係を有するように構成したので、従来の７番アイアンに相当するゴルフクラブよりもクラブ長さが短いゴルフクラブで、高打ち出しを実現することができ、結果として非力なゴルファーでも飛距離を伸ばすことができる。また、ロフト角度が３８度を超えるクラブでも、高打ち出しができ、飛距離を伸ばせるものである。さらに、非力なゴルファーにとって、シャフトに対してフェース面が“前にある”か、“後にあるか”は、大きな心理的影響となっているが、本発明では、７番アイアンに相当するクラブにも、フェースがシャフトより前にあるようにフェースプログレッションを採用しているため、打撃時のプレッシャーが無い。
【発明を実施するための最良の形態】
【００１２】
以下に、本発明の実施形態を、図面を参考にして説明する。
【００１３】
図１は、ヘッド本体１にシャフト２が装着されたゴルフクラブをフェース３の正面から見た図であり、ヘッド本体１のホゼル４にシャフト２を挿入、固着してある。ヘッド本体１とホゼル４とは、一体に製造し、この実施形態ではステンレスで製造し、中空構造とし、ソール５（図２参照）を別体に製造して後から溶接するなどの手段で固着してある。また、バック部６（図２参照）も別体に製造して後から固着することもできる。ソール５やバック部６の材料をステンレスよりも比重の大きい材料を作成すれば、低重心化や深重心化を図ることができる。また、材料は同じでも厚さを変え、重量を変化させることでも低重心化や周辺重量配分も可能である。例えば、ソール５をクラウン部７やバック部６、サイド部８に比べ肉厚にして、低重心化を図ることで、インパクト時のボールの打ち出し角が大きくなり、好ましい。特に、フェース３に近い方を厚くすると良い。また、ソール５の左右に肉厚に分散したり、ヘッド本体１より比重の大きいウエイト材（例えばタングステン合金）をソール５の左右に設けてもよい。また、バック部６に比重の小さいアルミ合金やチタニウム合金を使用し、これをかしめ等で固定することにより、重心を浅くすると、フェース面上の重心を低く抑えることができる。
【００１４】
図２は、図１のＡ−Ａ線断面略図を示し、符号Ａはフェースセンター高さを示し、Ｂはロフト角度を示し、Ｃはホゼル４の直径（外径）を示し、Ｄはフェースプログレッションを示す。また、ホゼル４の中心軸ＣＬの延長線とソール５を通る水平線との交点からフェース３の傾斜面の延長線とソール５を通る水平線との交点までの距離をフェースプログレッションＤとしている。なお、符号９はリーディングエッジを示す。
【００１５】
ダウンブローの技術とパワーを必要とする現在のロングアイアンクラブが難しいクラブであることは、多くのアベレージゴルファーが認め、それに替るクラブとして、多くのユーティリティや９番、１１番ウッドがもてはやされている。これらのクラブに共通していることは、ダウンブローを必要としないことであり、大きなフェースプログレッションのクラブヘッドである。しかしながら、多くのユーティリティや９番、１１番ウッドでは、アイアンの７番や、それより高番手のクラブよりも飛びすぎて、これらの代用とならない。そこで、アイアンの７番、８番、およびそれよりロフト角度が大きく、クラブ長さの短いクラブのフェースプログレッションを大きくして、フェースがシャフト軸よりも前にあるようにしたのが、本発明のゴルフクラブである。そして、
フェースプログレッション＞（ホゼル半径）＋（フェースセンター高さ）・ｔａｎ（ロフト角度）・・・式（１）
とすることにより、インパクト時にシャフトより先にボールのインパクト位置があり、ダウンブローや打ち込みの意識を除くことができるようになる。
【００１６】
上記式（１）の関係を有するゴルフクラブ中、本発明は、クラブ長さが３７インチ以下又は/及びロフト角度が３８度超のものに適用する。クラブ長さの下限としては３５インチとする。３５インチよりも短いと、屈みすぎてうまくスイングできにくくなる。また、ヘッド重量も重すぎるとスイングしにくくなるので、２６５〜２９５ｇ程度の範囲内が好ましい。
【図面の簡単な説明】
【００１７】
【図１】ゴルフクラブの正面図。
【図２】図１のＡ−Ａ線断面略図。
【符号の説明】
【００１８】
１    ヘッド本体
２    シャフト
４    ホゼル
Ａ    フェースセンター高さ
Ｂ    ロフト角度
Ｃ    ホゼル直径
Ｄ    フェースプログレッション
【図１】
2009142467.tif 000003
【図２】
2009142467.tif 000004